(57)【要約】【課題】アイロン台を載置してアイロン掛け作業を行うことができるアイロン台用ワゴンであって、アイロン掛け道具を格納可能であり、作業者が作業し易い作業姿勢を確保できるものを提案する。【解決手段】アイロン台用のワゴン２０を、アイロン台１０を着脱可能に載置する天板２１と、天板２１の長尺方向一側を支持する格納用の棚２２と、天板２１の長尺方向他側を支持する支持脚２３とで構成した。前記棚２２を天板２１に対して略垂直方向の回動軸３６を中心として回動可能とし、棚２２が天板２１とが平面視において全部重複する閉じた状態と、該閉じた状態から棚を所定角度だけ回転させて、棚２２と天板２１とが平面視において一部重複する開いた状態とに、棚２２と天板２１との相対位置を保持するロック機構を備えた。前記棚２２の上面に突起３７を設けるとともに、天板２１の下面に前記突起３７を嵌入する円弧状のガイド溝３７を設けた。【選択図】図３
2007014673.tif 000002
【特許請求の範囲】
【請求項１】
アイロン台を着脱可能に載置する天板と、
前記天板の長尺方向一側を支持する格納棚と、
前記天板の長尺方向他側を支持する支持脚とを備え、
前記格納棚を天板に対して略垂直方向の軸を中心として回動可能としたことを
特徴とするアイロン台用ワゴン。
【請求項２】
前記格納棚の上面に突起を設けるとともに、
前記天板の下面に前記突起を嵌入する円弧状のガイド溝を設けた、
請求項１に記載のアイロン台用ワゴン。
【請求項３】
前記格納棚と前記天板とが平面視において全部重複する閉じた状態と、該閉じた状態から棚を所定角度だけ回転させて、格納棚と前記天板とが平面視において一部重複する開いた状態とに、該格納棚と天板との相対位置を保持するロック機構を備えた、
請求項１又は請求項２に記載のアイロン台用ワゴン。
【発明の詳細な説明】
【技術分野】
【０００１】
本発明は、アイロン台を載置するアイロン台用ワゴンに関する。
【背景技術】
【０００２】
一般に、アイロン台は、アイロンを滑らせる平板と、折り畳み可能な脚部を有する。アイロン台の平板は、広げたハンカチ以上の面積を有するものが一般的であり、ワイシャツ等の面積の大きなものにアイロン掛けし易いように、面積が大きいものが好まれている。このように、アイロン台は、脚部を折り畳んだとしても占有面積が大きく、立て掛けた状態に収納されることが多い。
【０００３】
しかし、アイロン及びアイロン台の使用頻度は高く、使用の度に格納することは面倒であることから、放置したり、部屋片隅に立て掛けたりしてしまいがちになる。また、アイロン掛け作業に使用する、霧吹きやアイロン、皺伸ばし剤、ノリ剤などのアイロン掛け道具も放置してしまいがちである。アイロン台を放置しておくと、室内空間が雑然となってしまう。
【０００４】
そこで、特許文献１では、アイロン台と戸棚とを兼用させた、戸棚兼用アイロン台が提案されている。この戸棚兼用アイロン台では、アイロン台を設置する机などを戸棚に代用させてアイロン掛け作業を容易にするとともに、不使用時はアイロン台を戸棚内に立てて収納して、アイロン台のために部屋や押し入れの空間を占有されないようにしている。また、前記戸棚内には、ミシンやマット、洗剤等を収納できるようにされており、さらに、戸棚にはコンセントが設けられている。
【特許文献１】実開平７−２７４９９号公報
【発明の開示】
【発明が解決しようとする課題】
【０００５】
上記従来技術の戸棚兼用アイロン台では、アイロン作業時には戸棚をアイロン台載置台として利用可能であるとともに、アイロン台やアイロンを戸棚に格納することができる機能性を備えている。しかし、アイロン掛け作業時に、作業者の足場に戸棚が存在するために、作業者が作業し易い作業姿勢を確保することが難しい。しかし、足場を設けるために、戸棚を小さくすると格納性能が低下してしまう。
【０００６】
そこで、本発明では、アイロン台を載置してアイロン掛け作業を行うことができるアイロン台用ワゴンであって、アイロン掛け道具を格納可能であるとともに、アイロン掛け作業において作業者が作業し易い作業姿勢を確保できるものを提案する。
【課題を解決するための手段】
【０００７】
本発明の解決しようとする課題は以上の如くであり、次にこの課題を解決するための手段を説明する。
【０００８】
即ち、請求項１においては、アイロン台を着脱可能に載置する天板と、前記天板の長尺方向一側を支持する格納棚と、前記天板の長尺方向他側を支持する支持脚とを備え、前記格納棚を天板に対して略垂直方向の軸を中心として回動可能としたアイロン台用ワゴンである。
【０００９】
請求項２においては、前記格納棚の上面に突起を設けるとともに、前記天板の下面に前記突起を嵌入する円弧状のガイド溝を設けたものである。
【００１０】
請求項３においては、前記格納棚と前記天板とが平面視において全部重複する閉じた状態と、該閉じた状態から棚を所定角度だけ回転させて、格納棚と前記天板とが平面視において一部重複する開いた状態とに、該格納棚と天板との相対位置を保持するロック機構を備えたものである。
【発明の効果】
【００１１】
本発明の効果として、以下に示すような効果を奏する。
【００１２】
請求項１においては、ワゴンにアイロン台を載置してアイロン掛け作業ができる。アイロン台を載置するワゴンにアイロン掛け道具を格納する格納棚を備えるので、アイロン掛け道具の面倒な出し入れなしにアイロン掛け作業を開始することができる。そして、天板に対して格納棚を移動させることができるので、アイロン掛け作業時には天板下の足場を拡げて作業し易い状態とすることができ、また、椅子に座ってのアイロン掛け作業を可能とすることができる。従って、アイロン掛け作業において作業者が作業し易い作業姿勢を確保できる。さらに、アイロン掛け作業時には、格納棚の上面が表れるように格納棚を回動移動させて、格納棚の上面をアイロン載置台として利用することができる。
【００１３】
請求項２においては、天板に対する格納棚の移動をガイドすることによって、該格納棚の移動を安定させることができる。
【００１４】
請求項３においては、アイロン掛け作業時には、格納棚を開いた状態に固定し、格納棚が天板に対して振れることなく安定した状態で作業を行うことができる。また、不使用時には、格納棚を閉じた状態に固定して、格納棚が天板に対して振れることなく安定した状態で移動させることができる。
【発明を実施するための最良の形態】
【００１５】
次に、発明の実施の形態を説明する。
図１は本発明の実施例に係るアイロン台用ワゴンの全体的な構成を示す正面図、図２は棚を閉じた状態のワゴンの様子を示す図、図３は棚を開いた状態のワゴンの様子を示す図である。図４はワゴンの天板と棚との連結部の構造を示す平面図である。図５は図４におけるＹ−Ｙ矢視断面図である。
【００１６】
図１乃至図３に示すように、本発明の実施例に係るアイロン台用ワゴン２０は、アイロン台１０を着脱可能に載置することが可能であり、該ワゴン２０にアイロン台１０を載置固定して、アイロン掛け作業を行うことができる。前記ワゴン２０は、塗装スチールや化粧木板等で構成され、そのまま室内空間に配置されてもインテリア性を損ねることなく、家具として空間に存在できるデザインとすることが好ましい。
なお、アイロン台１０は、アイロンを滑らせる平板１１と、該平板１１の下面に取り付けられた折り畳み可能な脚１２・１２とで構成される。但し、平板１１のみから成るアイロン台１０でも構わない。
【００１７】
上述のように、ワゴン２０に対してアイロン台１０は着脱可能であるので、アイロン台１０をワゴン２０に載置固定してアイロン掛け作業に使用したり、アイロン台１０をワゴン２０より分離させてアイロン台１０だけで独立してアイロン掛け作業に使用したりすることができる。さらに、アイロン台１０は、脚１２を折り畳むことができるので、机などの上に載置してアイロン掛け作業に使用したりすることができる。
このように、アイロン掛け作業場所の自由度を高めることができる。
【００１８】
上記に加え、ワゴン２０に対してアイロン台１０は着脱可能とすることで、アイロン台１０のみを交換してワゴン２０を永く使用することができるという利点を有する。アイロン台１０は平板１１を覆う布が焦げ付いたり摩耗したりするので、ワゴン２０と比較して寿命が短いことから、交換の必要が生じるからである。
【００１９】
また、前記ワゴン２０には、複数の車２４・２４・・・が備えられ、移動可能に構成される。これにより、アイロン作業場所を簡易に移動させることが可能となり、例えアイロン掛け作業中であっても、ワゴン２０に載置されたアイロン台１０を移動できる。アイロン台１０を不使用時には、ワゴン２０ごと収納庫などに移動させることができる。該車２４はストッパー付きのキャスター輪とすることで、あらゆる方向に向きを変更して移動でき、作業時や格納時等にはストッパーにより車輪を固定して移動できないようにすることができる。
【００２０】
前記ワゴン２０は、天板２１と、該天板２１の長尺方向一側を支持する棚２２と、同じく他側を支持する支持脚２３とで構成される。前記棚２２と支持脚２３との下面の適宜位置には車２４・２４・・・が固設される。
【００２１】
前記天板２１の上面には、アイロン台１０がその脚１２・１２を折り畳んだ状態で、着脱可能に載置される。天板２１の大きさはアイロン台１０よりも一回り小さく構成して、はみ出さないようにしている。天板２１に対してアイロン台１０を簡易に固定する突起などの掛合部を該天板２１に形成して、アイロン掛け作業時にワゴン２０に対してアイロン台１０が相対移動不能とすることもできる。
【００２２】
前記天板２１には、図４にも示す如く、枠体４１と、該枠体４１の内部に設けられたメッシュ板４２とが備えられる。メッシュ板４２により、アイロン台１０の平板１１を通過する蒸気や熱気を留めること無く放散することができる。
【００２３】
前記棚２２は、前記天板２１を支持する部材であるとともに、アイロン掛け作業時にはアイロンを載置する台として、また、不使用時にはアイロンや霧吹き、その他のアイロン掛け道具の格納スペースとして機能する。面倒な出し入れ作業なしにアイロン掛け作業を開始できるので、利便性の向上が図られている。
【００２４】
前記棚２２は天板２１に対して回動（スライド）可能に接続される。
図４及び図５に示すように、棚２２は平面視扇形（略１／４円）に構成し円弧の略中心位置に回動軸３６が配置され、その半径を天板２１の短手方向の長さに合わせている。前記天板２１の下面には、棚２２との連結部を補強する補強板４３が設けられる。該補強板４３と棚２２とには、回動軸３６が挿通される。これにより天板２１と棚２２とが枢結され、棚２２は、天板２１に対して回動軸３６を中心として回動可能とされる。
【００２５】
アイロン掛け作業時には、図３に示すように、回動軸３６を中心として棚２２を所定角度だけ回転させて天板２１の下から引き出し、棚２２が『開いた状態』とする。この棚２２が開いた状態では、天板２１と棚２２とが平面視において一部重複している。
【００２６】
棚２２が開いた状態にあるときは、天板２１の下方の棚２２と支持脚２３との間隔が広がる。これにより、立ち作業での足場が広がり、また、この空間に椅子を置いて座りながらアイロン掛け作業をすることができる。従って、アイロン掛け作業において作業者が作業し易い作業姿勢を確保できる。
そして、棚２２が開いた状態では、棚２２の上部が表れ、ここをアイロン載置台として使用することができる。
【００２７】
また、不使用時には、図２に示すように、棚２２が開いた状態から、回動軸３６を中心として棚２２を所定角度だけ回転させて天板２１の下に収め、『閉じた状態』とする。この棚２２が閉じた状態では、天板２１と棚２２とが平面視において全部重複している。
棚２２が閉じた状態にあるときは、ワゴン２０の占有面積を天板２１の面積に抑え、移動に適したコンパクトな状態とすることができる。
【００２８】
なお、本実施例では、棚２２の回動角度を略９０度として、閉じた状態から開いた状態へ、又は、開いた状態から閉じた状態へ、棚２２を回動軸３６として平面視逆時計回り又は時計回りに略９０度回転させる構成としている。但し、棚の回動角度はこれに限定されるものではなく、棚２２の形状に応じて適宜所定角度を定めることができる。
【００２９】
棚２２は、主に、上板３１と底板３３と、これらを連結する二枚の側板３２と、上板３１と底板３３との間に配置される単数又は複数の棚板３９とで、平面視略扇形状に構成される。つまり、上板３１、側板３２、底板３３は、いずれも平面視略扇形状である。但し、本実施例では意匠性向上のために棚２２を平面視扇形状としているが、平面視矩形状としたり、平面視円形状としたりすることもできる。また、棚板３９を備えない構成の棚２２とすることもできる。
【００３０】
前記上板３１は、耐熱性に優れた素材で構成される。従って、上板３１は焦げ付くことがないので、棚２２に載置したアイロンが転倒しても棚２２の外観を損ねることなく、アイロン載置台としての機能性が備えられる。
【００３１】
また、前記上板３１には、コンセント３４が設けられる。該コンセント３４にアイロンの電気コードを差し込むことができ、利便性の向上が図られている。
なお、このコンセント３４は、ワゴン２０の下部より延出された電気コード３５と電気的に接続され、電気が供給されている他のコンセントに該電気コード３５が接続されることによって、コンセント３４が使用可能となる。
【００３２】
また、前記天板２１と棚２２との間には、天板２１に対する棚２２の回動を規制するガイド機構が設けられる。
前記棚２２の上面には突起３７が設けられる。一方、天板２１の下面に設けられた補強板４３には、前記回動軸３６を円の略中心とする略９０度円弧状のガイド溝４０が設けられる。この突起３７とガイド溝４０とにより、ガイド機構が形成される。
なお、図４に示す実施例では、天板２１の下面に設けた補強板４３に、二条の下方への起立部を形成してガイド溝４０としている。但し、ガイド溝４０の形状は本実施例に限定されるものではなく、例えば、天板２１の下面に突起３７を嵌入可能な溝を形成したレールを付設してガイド溝４０を構成することもできる。
【００３３】
上記ガイド機構において、棚２２の突起３７が、天板２１のガイド溝４０に嵌入し、その移動を規制されることで、棚２２は天板２１に対して回動軸３６を中心として略９０度回動（スライド）することができる。
【００３４】
さらに、前記天板２１と棚２２との間には、棚２２が『開いた状態』と、棚２２が『閉じた状態』との、それぞれの状態に保持するロック機構が形成される。
【００３５】
前記棚２２の上面に設けられた突起３７は、上下方向に伸縮（進退）可能に構成されるとともに、付勢部材４６により上方に付勢される。そして、棚２２の側板３２に設けられたレバー４４と、該レバー４４と突起３７とを接続するリンク４６とにより、該突起３７の操作機構が構成される。
なお、前記レバー４４は、棚２２の側板３２に設けられた取手３８の近傍に設けられる。これにより、取手３８を握りながらレバー４４を操作可能とされる。該レバー４４の操作にて、突起３７を所定量下方へ移動することができる。
【００３６】
一方、前記ガイド溝４０の両端には、掛止部４０ａ・４０ｂが設けられる。前記掛止部４０ａ・４０ｂとして、ガイド溝４０の他の部分より深い溝が形成される。
上記掛止部４０ａ・４０ｂと、突起３７と、該突起３７の操作機構とにより、前記ロック機構が形成される。
【００３７】
前記ロック機構では、棚２２が閉じた状態にあるときには、突起３７がガイド溝４０の一側の掛止部４０ａに嵌入することにより掛止され、棚２２と天板２１とは相対移動不能にロックされる。
また、この状態から、レバー４４を操作して突起３７を下方へ移動させれば、該突起３７はガイド溝４０の一側の掛止部４０ａより抜け出て、ガイド溝４０を移動することができる。
そして、棚２２が天板２１に対して略９０度回転し、棚２２が開いた状態にあるときには、突起３７がガイド溝４０の他側の掛止部４０ｂに嵌入することにより掛止され、棚２２と天板２１とは相対移動不能にロックされる。
【００３８】
上記のように、ロック機構にて、天板２１に対して棚２２の回転位相が略０度（閉じた状態）と、略９０度（開いた状態）である場合において、天板２１と棚２２との相対的移動が不能とされる。
これにより、アイロン掛け作業中のワゴン２０は、棚２２が開いた状態に保持され、安定して作業を行うことができる。また、ワゴン２０を移動させるときには、棚２２を閉じた状態に保持することができ、安定して移動させることができる。
【図面の簡単な説明】
【００３９】
【図１】本発明の実施例に係るアイロン台用ワゴンの全体的な構成を示す正面図。
【図２】棚を閉じた状態のワゴンの様子を示す図。
【図３】棚を開いた状態のワゴンの様子を示す図。
【図４】ワゴンの天板と棚との連結部の構造を示す平面図。
【図５】図４におけるＹ−Ｙ矢視断面図。
【符号の説明】
【００４０】
１０  アイロン台
１１  平板
１２  脚
２０  ワゴン
２１  天板
２２  棚
２３  脚
２４  車
３１  天板
３７  突起
４０  ガイド溝
【図１】
2007014673.tif 000003
【図２】
2007014673.tif 000004
【図３】
2007014673.tif 000005
【図４】
2007014673.tif 000006
【図５】
2007014673.tif 000007